(57)【要約】【課題】  サービス提供者が要求する内容と移動体端末の状態とに応じて位置情報の取得開始から取得までの時間を短くし、移動体端末の電池消費を極力抑えることが可能な位置情報提供装置を提供する。【解決手段】  位置情報提供装置（１）は、移動体端末の位置情報を、異なる精度で取得可能な複数の取得手段（位置情報取得部１１）と、サービス提供者端末によって指定される指定位置と移動体端末との距離に応じて複数の取得手段（位置情報取得部１１）各々を振分ける振分け処理手段（位置取得方法振分け処理部１０）とを有する。【効果】  本発明は、サービス提供者端末からの要求が移動体端末を指定した位置情報の取得である時に、要求される位置精度に応じて位置情報を取得する方法を振分けることで、位置情報の取得時間を短くすることが可能となる。【選択図】      図１
2011151821.tif 000002
【特許請求の範囲】
【請求項１】
移動体端末の位置情報を、異なる精度で取得可能な複数の取得手段と、
サービス提供者端末によって指定される指定位置と前記移動体端末との距離に応じて前記複数の取得手段各々を振分ける振分け処理手段と
を有することを特徴とする位置情報提供装置。
【請求項２】
前記取得手段で取得した位置情報が前記指定位置から離れていると判断した場合、当該取得手段より高い精度の取得手段による位置情報の取得を中止することを特徴とする請求項１に記載の位置情報提供装置。
【請求項３】
前記取得手段は、第１の取得手段と、前記第１の取得手段よりも高精度の位置情報を取得可能な第２の取得手段とを含み、
前記振分け処理手段は、前記第１の取得手段によって取得された位置情報が、前記指定位置を含む第１の範囲に属さない場合、前記第２の取得手段に対する位置情報の取得指示を中止することを特徴とする請求項１に記載の位置情報提供装置。
【請求項４】
前記振分け処理手段は、前記第１の取得手段によって取得された位置情報が、前記指定位置を含む第１の範囲に属する場合、前記移動体端末の位置情報の取得を前記第２の取得手段に指示することを特徴とする請求項３に記載の位置情報提供装置。
【請求項５】
前記第２の取得手段によって取得された位置情報が指定範囲に属する場合、その旨を前記サービス提供者端末に通知する通知手段を含むことを特徴とする請求項４に記載の位置情報提供装置。
【請求項６】
上記の請求項１から請求項５のいずれかに記載の位置情報提供装置を含むことを特徴とする位置情報提供システム。
【請求項７】
位置情報提供装置が、
移動体端末の位置情報を、異なる精度で取得可能な複数の取得処理と、
サービス提供者端末によって指定される指定位置と前記移動体端末との距離に応じて前記複数の取得処理各々を振分ける振分け処理と
を実行することを特徴とする位置情報取得方法。
【請求項８】
位置情報提供装置内の中央処理装置に実行させるプログラムであって、
移動体端末の位置情報を、異なる精度で取得可能な複数の取得処理と、
サービス提供者端末によって指定される指定位置と前記移動体端末との距離に応じて前記複数の取得処理各々を振分ける振分け処理と
を含むことを特徴とするプログラム。
【発明の詳細な説明】
【技術分野】
【０００１】
本発明は位置情報提供装置、位置情報提供システム及びそれらに用いる位置情報取得方法並びにそのプログラムに関し、特に携帯電話機等の移動体端末の位置を取得し、その位置情報をサービス提供者に提供する位置情報提供システムに関する。
【背景技術】
【０００２】
上記の位置情報提供システムとしては、基地局セル情報またはＧＰＳ（Ｇｌｏｂａｌ  Ｐｏｓｉｔｉｏｎｉｎｇ  Ｓｙｓｔｅｍ）位置情報を取得する方式が提案されている（例えば、特許文献１参照）。
【０００３】
基地局セル情報を取得する方式では、移動体端末が基地局電波を受信することにより、移動体端末から制御チャネルで基地局番号を移動体交換センタに通知し、移動体交換センタにおいて基地局番号から移動体端末の位置を認識している。
【０００４】
また、ＧＰＳ位置情報を取得する方式では、移動体端末がＧＰＳ電波を受信することにより、移動体端末が位置を認識し、情報チャネルまたは制御チャネルで位置情報を通知している。
【０００５】
これらの方式はともに、移動体端末を動作させることによって位置を認識するもので、位置情報の取得開始から取得までに時間を要し、その際に移動体端末の電池が消費されることとなる。一般に、基地局セル情報とＧＰＳ位置情報とでは、位置情報の取得時間は基地局セル情報が早く、位置精度はＧＰＳ位置情報の方が高い。
【０００６】
上記の特許文献１に記載の技術では、基地局セル情報とＧＰＳ位置情報とを同時に取得開始して、先に取得した基地局セル情報をもとに地図を表示して、後で取得したＧＰＳ位置情報を基に移動体端末の場所を表示するものである。また、下記の特許文献２〜５には、携帯端末の位置情報を検出することが開示されている。
【先行技術文献】
【特許文献】
【０００７】
【特許文献１】特開２００３−２８４１２１号公報
【特許文献２】特開２００１−１０３５３７号公報
【特許文献３】特開２００７−０８９１９６号公報
【特許文献４】国際公開第２００２／０２１８７３号
【特許文献５】特開２００４−２１４８０９号公報
【発明の概要】
【発明が解決しようとする課題】
【０００８】
上述した本発明に関連する位置情報提供システムでは、基地局セル情報とＧＰＳ位置情報とがともに、移動体端末を動作させることによって位置を認識するもので、位置情報の取得開始から取得までに時間を要するという問題がある。例えば、広告配信サービス等で移動体端末を指定して位置取得する場合には、位置情報の取得時間を要することによって、サービスの数量が制限されるため、サービス提供者のビジネス拡大を妨げてしまうこととなる。
【０００９】
また、本発明に関連する位置情報提供システムでは、基地局セル情報とＧＰＳ位置情報とがともに、移動体端末を動作させることによって位置を認識するもので、位置情報の取得の際に移動体端末の電池を消費するという問題がある。例えば、移動体端末が指定位置範囲に出入りしたことを通知する場合には、定期的に移動体端末の位置情報を取得する必要があり、限られた移動体端末の電池を大幅に消費してしまうこととなる。この制約によって、移動体端末が指定位置範囲に出入りしたことを通知するサービスはほとんど導入されていない。
【００１０】
そこで、本発明の目的は上記の問題点を解消し、サービス提供者が要求する内容と移動体端末の状態とに応じて位置情報の取得開始から取得までの時間を短くし、移動体端末の電池消費を極力抑えることができる位置情報提供装置、位置情報提供システム及びそれらに用いる位置情報取得方法並びにそのプログラムを提供することにある。
【課題を解決するための手段】
【００１１】
本発明による位置情報提供装置は、移動体端末の位置情報を、異なる精度で取得可能な複数の取得手段と、サービス提供者端末によって指定される指定位置と前記移動体端末との距離に応じて前記複数の取得手段各々を振分ける振分け処理手段とを備えている。
【００１２】
本発明による位置情報提供システムは、上記の位置情報提供装置を含むことを特徴とする。
【００１３】
本発明による位置情報取得方法は、位置情報提供装置が、移動体端末の位置情報を、異なる精度で取得可能な複数の取得処理と、サービス提供者端末によって指定される指定位置と前記移動体端末との距離に応じて前記複数の取得処理各々を振分ける振分け処理とを実行している。
【００１４】
本発明によるプログラムは、位置情報提供装置内の中央処理装置に実行させるプログラムであって、移動体端末の位置情報を、異なる精度で取得可能な複数の取得処理と、サービス提供者端末によって指定される指定位置と前記移動体端末との距離に応じて前記複数の取得処理各々を振分ける振分け処理とを含むことを特徴とする。
【発明の効果】
【００１５】
本発明は、上記のような構成及び動作とすることで、サービス提供者が要求する内容と移動体端末の状態とに応じて位置情報の取得開始から取得までの時間を短くし、移動体端末の電池消費を極力抑えることができるという効果が得られる。
【図面の簡単な説明】
【００１６】
【図１】本発明による位置情報提供システムの構成例を示すブロック図である。
【図２】本発明の実施の形態による位置情報提供システムの構成例を示すブロック図である。
【図３】本発明の実施の形態による位置情報提供装置の動作を示すフローチャートである。
【図４】本発明の実施の形態による位置情報提供装置の動作を示すフローチャートである。
【発明を実施するための形態】
【００１７】
次に、本発明の実施の形態について図面を参照して説明する。まず、本発明による位置情報提供システムについて図１を参照して説明する。図１は本発明による位置情報提供システムの構成例を示すブロック図である。図１において、本発明による位置情報提供システムは、位置情報提供装置１と、サービス提供者端末２と、移動体端末３とから構成されている。
【００１８】
位置情報提供装置１は、サービス提供者端末２が要求する内容に応じて位置を取得する方法を振分ける位置取得方法振分け処理部１０と、移動体端末３の位置を複数の取得方法で取得する位置情報取得部１１とを含んで構成されている。また、位置情報提供装置１は、移動体端末３の位置を位置情報取得部１１で取得して、その位置情報をサービス提供者端末２に提供する。
【００１９】
位置情報取得部１１は、図示せぬ移動体交換網のロケーションレジスタを取得する方法、基地局セル情報を取得する方法、ＧＰＳ（Ｇｌｏｂａｌ  Ｐｏｓｉｔｉｏｎｉｎｇ  Ｓｙｓｔｅｍ）位置情報を取得する方法等の複数の取得方法のうちの一つ、あるいは複数で移動体端末３の位置情報を取得する。
【００２０】
このように、本発明では、基地局セル情報と、ＧＰＳ位置情報とのほかに、移動体交換網のロケーションレジスタを取得可能とし、サービス提供者端末２から要求される内容に応じて、いずれかの方法で位置情報を取得するように振分けるようにしている。
【００２１】
移動体交換網のロケーションレジスタは、移動体端末３への電話着信の呼出しで利用するために、どこの移動体交換装置（図示せず）の配下に位置しているかを保持しているものである。移動体交換網のロケーションレジスタを取得する場合には、移動体端末３を動作させることがなく、位置情報の取得する時間が極めて短く、移動体端末３の電池を消費することもない。
【００２２】
広告配信サービスや第３者検索等のサービスによっては、詳細な位置精度が必要なものから、凡その位置精度で十分なものまで様々な要求がある。本発明では、サービス提供者端末２からの要求が移動体端末３を指定した位置情報の取得である時に、要求される位置精度に応じて、移動体交換網のロケーションレジスタ、基地局セル情報、ＧＰＳ位置情報を振分けて取得している。
【００２３】
例えば、凡その位置精度で十分な場合には、移動体交換網のロケーションレジスタから位置情報を取得し、中程度の位置精度で十分な場合には、基地局セル情報を取得し、詳細な位置精度の場合には、ＧＰＳ位置情報を取得するというように振分け処理を行うことで、位置情報の取得時間を短くすることができる。
【００２４】
また、サービス提供者端末２からの要求が移動体端末３と位置範囲とを指定して、移動体端末３が指定位置範囲に出入りした際の通知要求である時には、移動体端末３と指定位置との距離に応じて位置精度を上げていくように、移動体交換網のロケーションレジスタ、基地局セル情報、ＧＰＳ位置情報を振分けて取得している。
【００２５】
例えば、先ず、移動体交換網のロケーションレジスタから移動体端末３の位置情報を取得し、指定位置と離れている場合には、位置情報の取得を中止する。また、移動体交換網のロケーションレジスタから取得した移動体端末３の位置情報が指定位置範囲にある場合には、次に、基地局セル情報を取得し、指定位置と離れている場合には、位置情報の取得を中止する。
【００２６】
基地局セル情報から取得した移動体端末３の位置情報が指定位置範囲にある場合には、さらに、ＧＰＳ位置情報を取得して、移動体端末３が指定位置範囲に出入りしたかを判断してサービス提供者端末２に通知する。
【００２７】
上記のように、本発明では、順次、詳細な位置情報を取得することによって、移動体端末３を動作させることを極力回避して、限られた移動体端末３の電池の消費を防ぐことができる。
【００２８】
図２は本発明の実施の形態による位置情報提供システムの構成例を示すブロック図である。図２において、本発明の実施の形態による位置情報提供システムは、位置情報提供装置１と、サービス提供者端末２と、携帯電話機（エンドユーザ）等の移動体端末３と、移動体交換網のロケーションレジスタ記憶部４と、基地局セル情報記憶部５と、ＧＰＳ位置情報記憶部６とから構成されている。
【００２９】
尚、移動体交換網のロケーションレジスタ記憶部４、基地局セル情報記憶部５、ＧＰＳ位置情報記憶部６は、それぞれ移動体交換装置（図示せず）内に設置することも、あるいはそれぞれ独立に設置することも可能である。
【００３０】
位置情報提供装置１は、位置取得方法振分け処理部（以下、処理部とする）［例えば、ＣＰＵ（中央処理装置）等］１０と、ロケーションレジスタ取得部１１ａと、基地局セル情報取得部１１ｂと、ＧＰＳ位置情報取得部１１ｃと、受付部１２と、記憶部１３とから構成されている。
【００３１】
ロケーションレジスタ取得部１１ａは移動体交換網のロケーションレジスタを取得し、基地局セル情報取得部１１ｂは基地局セル情報を取得し、ＧＰＳ位置情報取得部１１ｃはＧＰＳ位置情報を取得する。受付部１２はサービス提供者端末２からの要求を受付け、記憶部１３は処理部１０が実行するプログラムを記憶する。
【００３２】
処理部１０は、サービス提供者端末２からの要求内容と移動体端末３の状態とに応じて、ロケーションレジスタ取得部１１ａと、基地局セル情報取得部１１ｂと、ＧＰＳ位置情報取得部１１ｃとのいずれで位置情報を取得するかを振分ける。
【００３３】
サービス提供者端末２は、移動体端末３への位置情報を用いたアプリケーションサービス（例えば、地図ナビゲーション等）を提供する事業者の情報処理装置を示す。位置情報提供装置１は、上記のような構成によって、サービス提供者端末２がサービスを実施するための情報として移動体端末３の位置情報を提供する。
【００３４】
位置情報提供装置１の受付部１２は、サービス提供者端末２の認証やアクセス制限等の位置情報提供装置１を利用するための管理も行っているが、これらの管理方式に関しては既知の方式が数多く提案されており、本実施の形態による位置情報提供装置１の特徴に直接関与しないため、それらの説明は省略する。
【００３５】
図３及び図４は本発明の実施の形態による位置情報提供装置１の動作を示すフローチャートである。これら図２〜図４を参照して本発明の実施の形態による位置情報提供装置１の動作について説明する。尚、図３及び図４に示す動作は、処理部１０のＣＰＵが記憶部１３のプログラムを実行することで実現される。
【００３６】
図３には、移動体端末３を指定したサービス提供者端末２からの位置情報の取得要求に対する動作を示している。サービス提供者端末２からの要求には、広告配信サービスや第３者検索等のサービスによって、詳細な位置精度が必要なものから、凡その位置精度で十分なものまで様々な要求がある。
【００３７】
位置情報提供装置１の受付部１２は、サービス提供者端末２からの要求を受付けて、処理部１０に処理を指示する（図３ステップＳ１）。処理部１０は、サービス提供者端末２からの要求が移動体端末３を指定した位置情報の取得である時に、要求される位置精度を判定し（図３ステップＳ２）、ロケーションレジスタ取得部１１ａと、基地局セル情報取得部１１ｂと、ＧＰＳ位置情報取得部１１ｃとのいずれで位置情報を取得するかを振分ける。
【００３８】
すなわち、処理部１０は、凡その位置精度で十分な場合（図３ステップＳ２）、ロケーションレジスタ取得部１１ａによって移動体交換網のロケーションレジスタ記憶部４から位置情報を取得する（図３ステップＳ３）。
【００３９】
また、処理部１０は、中程度の位置精度で十分な場合（図３ステップＳ２）、基地局セル情報取得部１１ｂによって基地局セル情報記憶部５から位置情報を取得する（図３ステップＳ４）。
【００４０】
さらに、処理部１０は、詳細な位置精度の場合（図３ステップＳ２）、ＧＰＳ位置情報取得部１１ｃによってＧＰＳ位置情報記憶部６から位置情報を取得する（図３ステップＳ５）。
【００４１】
本実施の形態では、処理部１０が上記のような振分け処理を行うことで、位置情報の取得時間を短くすることができる。位置情報提供装置１は、処理部１０の振分け処理で取得した位置情報を受付部１２を介してサービス提供者端末２へ提供する（図３ステップＳ６）。
【００４２】
図４には、移動体端末３が指定位置範囲に出入りした際の通知を要求するサービス提供者端末２からの要求に対する動作を示している。位置情報提供装置１の受付部１２は、サービス提供者端末２からの要求を受付けて、処理部１０に処理を指示する（図４ステップＳ１１）。
【００４３】
処理部１０は、サービス提供者端末２からの要求が移動体端末３と位置範囲とを指定して、移動体端末３が指定位置範囲に出入りした際の通知要求である時に、移動体端末３と指定位置との距離に応じて位置精度を上げていくように、ロケーションレジスタ取得部１１ａと、基地局セル情報取得部１１ｂと、ＧＰＳ位置情報取得部１１ｃとのいずれで位置情報を取得するかを振分ける。
【００４４】
処理部１０は、先ず、ロケーションレジスタ取得部１１ａによって移動体交換網のロケーションレジスタ記憶部４から移動体端末３の位置情報を取得し（図４ステップＳ１２）、取得した位置情報が指定位置と離れているかどうかを判定する（図４ステップＳ１３）。処理部１０は、取得した位置情報が指定位置と離れていると判定した場合（図４ステップＳ１３の遠距離）、位置情報の取得を中止し、タイミングをおいて位置情報の再取得を行う。
【００４５】
処理部１０は、移動体交換網のロケーションレジスタ記憶部４から取得した移動体端末３の位置情報が指定位置範囲にある場合（図４ステップＳ１３の付近）、基地局セル情報取得部１１ｂによって基地局セル情報記憶部５から移動体端末３の位置情報を取得し（図４ステップＳ１４）、取得した位置情報が指定位置と離れているかどうかを判定する（図４ステップＳ１５）。
【００４６】
処理部１０は、取得した位置情報が指定位置と離れていると判定した場合（図４ステップＳ１５の遠距離）、位置情報の取得を中止し、タイミングをおいて位置情報の再取得を行う。
【００４７】
処理部１０は、基地局セル情報記憶部５から取得した移動体端末３の位置情報が指定位置範囲にある場合（図４ステップＳ１５の付近）、ＧＰＳ位置情報取得部１１ｃによってＧＰＳ位置情報記憶部６から移動体端末３の位置情報を取得し（図４ステップＳ１６）、移動体端末３が指定位置範囲に出入りしたかを判断する（図４ステップＳ１７）。
【００４８】
処理部１０は、取得した位置情報が指定位置範囲に出入りしていないと判断した場合（図４ステップＳ１７のなし）、位置情報の取得を中止し、タイミングをおいて位置情報の再取得を行う。
【００４９】
処理部１０は、ＧＰＳ位置情報記憶部６から取得した移動体端末３の位置情報が指定位置範囲に出入りしていると判断した場合（図４ステップＳ１７の出入り）、サービス提供者端末２に移動体端末３の指定位置範囲の出入りを通知する（図４ステップＳ１８）。
【００５０】
このように、本実施の形態では、順次、詳細な位置情報を取得することによって、移動体端末３を動作させることを極力回避して、限られた移動体端末３の電池の消費を防ぐことができる。
【００５１】
また、位置情報提供装置１の受付部１２は、サービス提供者端末２へ取得した位置情報を提供または指定位置範囲の出入りを通知する際に、位置情報提供料として位置精度によりサービスレベルを設定して段階的に課金する。
【００５２】
尚、本実施の形態では、移動体交換網のロケーションレジスタを利用する方式を示しているが、移動体交換網のＦｅｍｔｏ  Ｃｅｌｌ、インタネット網のワイヤレスＬＡＮ（Ｌｏｃａｌ  Ａｒｅａ  Ｎｅｔｗｏｒｋ）、ＲＦＩＤ（Ｒａｄｉｏ  Ｆｒｅｑｕｅｎｃｙ  ＩＤｅｎｔｉｆｉｃａｔｉｏｎ）等、その他の無線装置を利用した位置情報提供システムにおいても、サービス提供者が要求する内容と移動体端末の状態に応じて、それら位置を取得する装置を振分ける構成も実現することができる。
【００５３】
このように、本実施の形態では、サービス提供者端末２からの要求が移動体端末３を指定した位置情報の取得である時に、要求される位置精度に応じて位置情報を取得する方法を振分けることによって、位置情報の取得時間を短くすることができる。
【００５４】
これによって、本実施の形態では、広告配信サービス等で移動体端末３を指定して位置取得する場合、位置情報の取得時間が短縮可能となることで、サービスの数量を増加することができるため、サービス提供者のビジネス拡大の可能性が大きくなる。
【符号の説明】
【００５５】
１  位置情報提供装置
２  サービス提供者端末
３  移動体端末
４  移動体交換網のロケーションレジスタ記憶部
５  基地局セル情報記憶部
６  ＧＰＳ位置情報記憶部
１０  位置取得方法振分け処理部
１１  位置情報取得部
１１ａ  ロケーションレジスタ取得部
１１ｂ  基地局セル情報取得部
１１ｃ  ＧＰＳ位置情報取得部
１２  受付部
１３  記憶部
【図１】
2011151821.tif 000003
【図２】
2011151821.tif 000004
【図３】
2011151821.tif 000005
【図４】
2011151821.tif 000006